(57)【特許請求の範囲】
【請求項１】
入力した複数のオーディオ信号のゲインをそれぞれ制御して出力する複数の可変利得手段と、
前記入力した複数のオーディオ信号のうちから出力すべきオーディオ信号を選択する選択手段と、
ミキシングアンプを含み、前記選択されかつゲインの制御された複数のオーディオ信号を混合して出力するミキシング手段とを備えたオーディオミキサーにおいて、
前記入力した複数のオーディオ信号の各レベルを前記可変利得手段ごとに設定するレベル設定手段と、
前記レベル設定手段によって設定された前記複数のオーディオ信号の各レベル比を保ったまま、前記複数の可変利得手段ごとに前記ゲインを可変制御するゲインコントロール手段とを設けたことを特徴とするオーディオミキサー。
【請求項２】
入力した複数のオーディオ信号のゲインをそれぞれ制御して出力する複数の可変利得手段と、
前記入力した複数のオーディオ信号のうちから出力すべきオーディオ信号を選択する選択手段と、
ミキシングアンプを含み、前記選択されかつゲインの制御された複数のオーディオ信号を混合して出力するミキシング手段とを備えたオーディオミキサーにおいて、
前記入力した複数のオーディオ信号の各レベルを前記可変利得手段ごとに設定するレベル設定手段と、
前記選択手段によるオーディオ信号の選択状態および前記レベル設定手段によって設定された各レベルに応じて、前記レベル設定手段によって設定された前記複数のオーディオ信号の各レベル比を保ったまま、前記複数の可変利得手段ごとに前記ゲインを可変制御するゲインコントロール手段とを設けたことを特徴とするオーディオミキサー。
【請求項３】
入力した複数のオーディオ信号のゲインをそれぞれ制御して出力する複数の可変利得手段と、
前記入力した複数のオーディオ信号のうちから出力すべきオーディオ信号を選択する選択手段と、
ミキシングアンプを含み、前記選択されかつゲインの制御された複数のオーディオ信号を混合して出力するミキシング手段とを備えたオーディオミキサーにおいて、
前記入力した複数のオーディオ信号の各レベルを前記可変利得手段ごとに設定するレベル設定手段と、
前記レベル設定手段によって設定された前記複数のオーディオ信号の各レベルの高低関係を保ったまま、前記複数の可変利得手段ごとに前記ゲインを可変制御するゲインコントロール手段とを設けたことを特徴とするオーディオミキサー。
【発明の詳細な説明】
【０００１】
【発明の属する技術分野】
本発明は、複数のオーディオ信号をミキシングして出力するオーディオミキサーに関する。
【０００２】
【従来の技術】
従来から、図４に示すようなオーディオミキサー１０は知られている。このオーディオミキサー１０は、歌声、楽器音を複数のマイクロフォン１１1，１１2・・１１n-1によって変換した複数のオーディオ信号、電子楽器１１nなどからのオーディオ信号を複数の入力端子１２1〜１２nにて入力する。これらの複数のオーディオ信号は、ユーザによって操作される可変ボリューム１３1〜１３nおよび選択スイッチ１４1〜１４nによって、それらの音量が調整されるとともに出力の有無が選択され、ミキシング用の抵抗１５1〜１５nを介してミキシングアンプ１６に供給されてミキシングされる。ミキシングアンプ１６の出力は、ユーザによって操作されるトータルボリューム１７を介して出力端子１８に導かれる。出力端子１８にはパワーアンプ１９が接続され、パワーアンプ１９からのオーディオ信号はスピーカ１９ａ，１９ｂから発音される。
【０００３】
【発明が解決しようとする課題】
しかしながら、多くの選択スイッチ１４1〜１４nがオンされている状態で、曲の盛り上がり時にて入力端子１２1〜１２nに入力されるオーディオ信号の音量レベルが大きくなると、ミキシングアンプ１６が入力信号をクリップするので、発生音が歪んでしまう。このようなミキシングアンプ１６のクリップを避けるために、ユーザがコンサートなどの途中で可変ボリューム１３1〜１３nを操作することも考えられるが、このような可変ボリューム１３1〜１３nの操作は各オーディオ信号間の音量バランスを崩す原因となり易い。一方、ミキシングアンプ１６のクリップを回避するために、予めミキシングアンプ１６に入力される音量レベルが小さくなるように可変ボリューム１３1〜１３nの設定レベルを低くしておくと、ミキシングアンプ１６から出力されるオーディオ信号のＳ／Ｎ比が低くなって発生音の音質が悪化する。
【０００４】
【発明の概要】
本発明は、上記のようなミキシングアンプの相反する問題に対処するためになされたもので、その目的は、複数のオーディオ信号の音量バランスを適正に保った状態で、ミキシングアンプのクリップを避けるとともにミキシングアンプによるＳ／Ｎ比の低下を防止することを可能としたオーディオミキサーを提供することにある。
【０００９】
上記目的を達成するために、本発明の特徴は、入力した複数のオーディオ信号のゲインをそれぞれ制御して出力する複数の可変利得手段と、入力した複数のオーディオ信号のうちから出力すべきオーディオ信号を選択する選択手段と、ミキシングアンプを含み、選択されかつゲインの制御された複数のオーディオ信号を混合して出力するミキシング手段とを備えたオーディオミキサーにおいて、入力した複数のオーディオ信号の各レベルを可変利得手段ごとに設定するレベル設定手段と、レベル設定手段によって設定された複数のオーディオ信号の各レベル比を保ったまま、複数の可変利得手段ごとにゲインを可変制御するゲインコントロール手段とを設けたことにある。
【００１０】
これによれば、ゲインコントロール手段は、レベル設定手段によって設定された複数のオーディオ信号の各レベル比を保ったまま、複数のオーディオ信号のレベルを可変制御するので、選択手段によって出力されるべきオーディオ信号の数が多くかつ曲の盛り上がり時においても、ミキシングアンプに入力される複数のオーディオ信号の音量レベルを適切にすることができる。したがって、この本発明の特徴によれば、各オーディオ信号の音量バランスを崩さず、かつ発生音のＳ／Ｎ比を低下させることなく、ミキシングアンプのクリップを簡単に回避でき、発生音の音質を常に良好に保つことができる。
【００１１】
また、本発明の他の特徴は、前記複数の可変利得手段、選択手段、ミキシング手段およびレベル設定手段を備えたオーディオミキサーにおいて、選択手段によるオーディオ信号の選択状態およびレベル設定手段によって設定された各レベルに応じて、レベル設定手段によって設定された複数のオーディオ信号の各レベル比を保ったまま、複数の可変利得手段ごとにゲインを可変制御するゲインコントロール手段を設けたことにある。この場合、ゲインコントロール手段は、選択手段によって選択されたオーディオ信号の数に応じてミキシング手段に供給される各オーディオ信号のレベルを一律に変更、例えば同オーディオ信号の数が増加するに従ってミキシングアンプに供給されるオーディオ信号のレベルを一律に低下させるようにするとよい。
【００１２】
これによっても、出力することが選択されているオーディオ信号の数が多くなっても、ゲインコントロール手段の作用によって、ミキシングアンプのクリップが自動的に回避される。したがって、各オーディオ信号の音量バランスを崩さず、発生音のＳ／Ｎ比を低下させることなく、ミキシングアンプからのオーディオ信号の音質を常に最適に保つことができる。
【００１３】
また、本発明の他の特徴は、前記ゲインコントロール手段を、レベル設定手段によって設定された複数のオーディオ信号の各レベルの高低関係を保ったまま、複数の可変利得手段ごとにゲインを可変制御するゲインコントロール手段で、置換してもよい。
【００１４】
これによれば、ゲインコントロール手段は、レベル設定手段によって設定された複数のオーディオ信号の各レベルの高低関係を保ったまま、複数のオーディオ信号のレベルを可変制御するので、前記場合と同様に、選択手段によって出力されるべきオーディオ信号の数が多くかつ曲の盛り上がり時においても、ミキシングアンプに入力される複数のオーディオ信号の音量レベルを適切にすることができる。したがって、この本発明の他の特徴によれば、各オーディオ信号の音量バランスをある程度保ったまま、発生音のＳ／Ｎ比を低下させることなく、ミキシングアンプのクリップを簡単に回避でき、発生音の音質を常に良好に保つことができる。
【００１５】
この場合、例えば、全体の音量レベルを下げる必要があっても、低いレベルに設定されたオーディオ信号に関しては、複数のオーディオ信号の各レベルの高低関係を保つことを条件に、そのレベルを下げない、または他のオーディオ信号のレベルの下げ幅に比べてその下げ幅を小さくすることもできる。これによれば、複数のオーディオ信号の各レベルの高低関係を保った状態で、全体の音量レベルを低くしても、前記予め低いレベルに設定されたオーディオ信号の実際の音量レベルが極めて小さくなって聞こえ難くなることを避けることができる。
【００１６】
【発明の実施の形態】
以下、本発明の第１実施形態について図面を用いて説明する。図１は、同第１実施形態に係るオーディオミキサー２０を概略ブロック図により示している。
【００１７】
このオーディオミキサー２０は、図４の従来のオーディオミキサー１０と同様に、歌声、楽器音を複数のマイクロフォンによって変換した複数のオーディオ信号、電子楽器などからのオーディオ信号を入力するための複数の入力端子２１1〜２１nを有している。これらの複数の入力端子２１1〜２１nには、可変ボリューム２２1〜２２nおよび選択スイッチ２３1〜２３nがそれぞれ直列に接続されている。複数の可変ボリューム２２1〜２２nは、ユーザによってそれぞれ独立に操作されて、入力端子２１1〜２１nにて入力した複数のオーディオ信号のレベルをそれぞれ独立に設定する。複数の選択スイッチ２３1〜２３nも、ユーザによってそれぞれ独立に操作されて、可変ボリューム２２1〜２２nからの複数のオーディオ信号のうちから出力すべきオーディオ信号を選択する。
【００１８】
複数の選択スイッチ２３1〜２３nの各出力端は、それぞれミキシング用の抵抗２４1〜２４nを介してミキシングアンプ２５の入力端に接続されている。ミキシングアンプ２５は、抵抗２４1〜２４nを介して入力された複数のオーディオ信号をミキシングして出力するもので、その制御入力端に接続されたボリューム操作子２６によって利得が可変制御されるようになっている。ボリューム操作子２６は、ユーザによって操作されるものである。
【００１９】
ミキシングアンプ２５の出力は、トータルボリューム２７を介して出力端子２８に接続されている。トータルボリューム２７も、ユーザによって操作されるもので、ミキシングアンプ２５から供給されるミキシング後のオーディオ信号のレベルを可変する。出力端子２８は、図４の従来のオーディオミキサー１０と同様に、パワーアンプおよびスピーカに接続されるようになっている。
【００２０】
このように構成した第１実施形態に係るオーディオミキサー２０においては、ユーザは複数の入力端子２１1〜２１nの全部または一部に、マイクロフォン、電子楽器などの複数のオーディオ信号源をそれぞれ接続するとともに、出力端子２８にパワーアンプ、スピーカなどを接続する。この後、ユーザは、選択スイッチ２３1〜２３nの全部または一部を操作することにより、出力すべきオーディオ信号を選択する。また、これと同時に、可変ボリューム２２1〜２２nの全部または一部を操作することにより、前記選択された各オーディオ信号のレベルをそれぞれ設定して、複数のオーディオ信号間の音量バランスを設定する。
【００２１】
次に、ボリューム操作子２６を操作することによりミキシングアンプ２５の利得を調整するとともに、トータルボリューム２７を操作して出力されるオーディオ信号のトータル音量レベルを調整する。ミキシングアンプ２５の利得の調整においては、特に、選択スイッチ２３1〜２３nをオンした数、すなわち出力すべきオーディオ信号の数を考慮して、ミキシングアンプ２５によってオーディオ信号がクリップされない状態で、同ミキシングアンプ２５の出力信号のＳ／Ｎ比が高く保たれるようにする。
【００２２】
この状態で、入力端子２１1〜２１nから複数のオーディオ信号を入力し始めれば、可変ボリューム２２1〜２２nによって設定された音量バランスでミキシングされたオーディオ信号が出力端子２８から出力される。この場合、ミキシングアンプ２５の利得制御により、ミキシングされたオーディオ信号がクリップされることはなく、また同オーディオ信号のＳ／Ｎも高く保たれているので、出力されるオーディオ信号の音質が良好となる。
【００２３】
一方、このような状態で、曲の盛り上がりなどにより、ミキシングアンプ２５に入力される複数のオーディオ信号のレベルが極めて高くなる場合には、ユーザはボリューム操作子２６を操作することにより、ミキシングアンプ２５の利得を下げる。これにより、ミキシングアンプ２５によるオーディオ信号のクリップを回避することができ、出力端子２８から出力されるオーディオ信号の音質を良好に保つことができる。この場合、ユーザはボリューム操作子２６を操作するだけでよく、ミキシングされる複数のオーディオ信号の音量バランスは以前に設定した状態に維持されるので、簡単な操作で、出力されるオーディオ信号の音質を良好に保つことができる。
【００２４】
さらに、このようにミキシングアンプ２５の利得を下げた場合には、トータルボリューム２７を操作することにより、ミキシングアンプ２５の利得を下げた分だけトータル音量レベルを上げるとよい。これによれば、ミキシングアンプ２５の利得を下げても、出力端子２８から出力されるオーディオ信号のトータル音量レベルの低下を回避できる。また、この場合も、ユーザはトータルボリューム２７のみを操作すればよいので、前記オーディオ信号のトータル音量レベルの低下を曲の途中においても簡単に回避できる。
【００２５】
また、この第１実施形態においては、可変ボリューム２２1〜２２nおよびトータルボリューム２７によりオーディオ信号のレベルを直接可変制御するように構成したが、これらの可変ボリューム２２1〜２２n，２７に代えて可変利得アンプをそれぞれオーディオ信号路に介装し、同可変利得アンプの利得をボリューム操作子の操作に応じて変更制御するように構成してもよい。また、選択スイッチ２３1〜２３nに関しては、ユーザによって直接操作されるスイッチに代えて、電子的なスイッチング素子、リレーなどのスイッチ回路を用い、このスイッチ回路をユーザによって操作される選択スイッチからの信号によってオン・オフ制御するように構成してもよい。
【００２６】
次に、本発明の第２実施形態について説明すると、図２は、同第２実施形態に係るオーディオミキサー２０ａを概略ブロック図により示している。
【００２７】
このオーディオミキサー２０ａは、上記第１実施形態の選択スイッチ２３1〜２３nに代えて、電子的なスイッチング素子、リレーなどのスイッチ回路３１1〜３１nを備えている。これらのスイッチ回路３１1〜３１nは、ユーザによって操作される選択スイッチ３２1〜３２nからの信号によって選択的にオン・オフ制御される。これらの選択スイッチ３２1〜３２nは、入力端子２１1〜２１nに供給される複数のオーディオ信号のうちから出力すべきオーディオ信号を選択するものである。
【００２８】
これらの選択スイッチ３２1〜３２nからの信号は、ゲインコントロール回路３３にも供給されている。ゲインコントロール回路３３は、選択スイッチ３２1〜３２nによって出力することが選択されたオーディオ信号の数に応じて、ミキシングアンプ２５ａの利得を自動的に制御するものである。すなわち、ゲインコントロール回路３３は、選択スイッチ３２1〜３２nがオン操作されている数をカウントして、同カウント値が大きくなるに従ってミキシングアンプ２５ａの利得を減少させる制御信号を出力して、ミキシングアンプ２５ａの利得を制御する。
【００２９】
例えば、オン操作されている選択スイッチ３２1〜３２nの数が、「１」、「２」、「４」、「８」のように増加した場合には、ミキシングアンプ２５ａの利得が、「Ｇ」、「Ｇ／２」、「Ｇ／４」、「Ｇ／８」のように減少するように設定するとよい。ただし、「Ｇ」は予め決められた適当な値である。これによれば、各オーディオ信号のレベルが全く同じであるという仮定のもとに、選択スイッチ３２1〜３２nがオン操作されている数とは無関係にミキシングアンプ２５ａの出力レベルを一定にすることができる。なお、前記オン操作されている選択スイッチ３２1〜３２nの数と、ミキシングアンプ２５ａの利得との関係は、これに限定されるものではなく、他の関係を選ぶことができる。また、この関係をユーザが任意に設定できるようにしてもよい。
【００３０】
なお、他の部分に関しては、上記第１実施形態の構成と同じであるので、第１実施形態と同一の符号を付してその説明を省略する。
【００３１】
このように構成した第２実施形態に係るオーディオミキサー２０ａにおいても、ユーザは複数の入力端子２１1〜２１nの全部または一部に複数のオーディオ信号源をそれぞれ接続するとともに、出力端子２８にパワーアンプ、スピーカなどを接続する。そして、選択スイッチ３２1〜３２nおよび可変ボリューム２２1〜２２nのそれぞれ全部または一部を操作することにより、出力すべきオーディオ信号を選択するとともに、選択した複数のオーディオ信号間の音量バランスを設定する。また、トータルボリューム２７を操作して出力されるオーディオ信号のトータル音量レベルを設定する点は、上記第１実施形態の場合と同じである。
【００３２】
一方、この場合には、ゲインコントロール回路３３は、オン操作されている選択スイッチ３２1〜３２nの数、すなわち出力すべきオーディオ信号の数が増加するに従って利得が減少するようにミキシングアンプ２５ａを制御する。したがって、出力すべきオーディオ信号の数が少なければ、ミキシングアンプ２５ａの利得が大きくなるので、出力端子２８に出力されるオーディオ信号のＳ／Ｎ比は高く保たれる。また、出力すべきオーディオ信号の数が多ければ、ミキシングアンプ２５ａの利得が小さく保たれるので、曲の盛り上がりなどでミキシングアンプ２５ａに入力するオーディオ信号のレベルが高くなっても、ミキシングアンプ２５ａにてオーディオ信号がクリップされることもない。
【００３３】
したがって、この第２実施形態によれば、複数のオーディオ信号のレベル比が可変ボリューム２２1〜２２nによって設定された状態に保たれたまま、出力端子２８に出力されるオーディオ信号のＳ／Ｎ比が自動的に高く保たれるとともに、同オーディオ信号のクリップも自動的に回避される。その結果、ユーザによる操作を必要とすることなく、出力端子２８に出力されるオーディオ信号の音質が常に良好に保たれる。
【００３４】
また、この第２実施形態においても、ミキシングアンプ２５ａの利得が自動的に下げられた場合には、トータルボリューム２７を操作するだけで、ミキシングアンプ２５ａの利得が下げった分だけトータル音量レベルを上げることもできる。これによれば、ミキシングアンプ２５ａの利得の低下に起因して、出力端子２８から出力されるオーディオ信号のトータル音量レベルの低下を回避できる。
【００３５】
また、この第２実施形態においても、上記第１実施形態の場合と同様に、可変ボリューム２２1〜２２nおよびトータルボリューム２７を、可変利得アンプおよびボリューム操作子で置換できる。
【００３６】
さらに、この第２実施形態においては、トータルボリューム２７の前段または後段に可変利得アンプを接続するとともに、この可変利得アンプの利得をミキシングアンプ２５ａの利得制御と反対になるようにゲインコントロール回路３３の出力によって制御して、ミキシングアンプ２５ａの利得の増減を補償するようにしてもよい。すなわち、ゲインコントロール回路３３は、オン操作されている選択スイッチ３２1〜３２nの数、すなわち出力すべきオーディオ信号の数が増加するに従って利得が増加するように、新たに設けた可変利得アンプの利得を制御する。これによれば、オーディオ信号のクリップを回避するために、ミキシングアンプ２５ａの利得が減少させられても、出力端子２８にはこのミキシングアンプ２５ａの利得の減少を補償した音量レベルのオーディオ信号が自動的に得られるようになる。
【００３７】
次に、本発明の第３実施形態について説明すると、図３は、同第３実施形態に係るオーディオミキサー２０ｂを概略ブロック図により示している。
【００３８】
このオーディオミキサー２０ｂは、上記第２実施形態の可変ボリューム２２1〜２２nに代えて、可変利得アンプ４１1〜４１nを備えている。これらの可変利得アンプ４１1〜４１nの各利得はゲインコントロール回路４２によってそれぞれ制御される。ゲインコントロール回路４２は、選択数検出回路４２ａおよび比例制御回路４２ｂからなる。選択数検出回路４２ａは、選択スイッチ３２1〜３２nによって出力すべきことが選択されたオーディオ信号の数、すなわちオン操作されている選択スイッチ３２1〜３２nの数をカウントして、同カウント値が大きくなるに従って減少する選択数制御信号を比例制御回路４２ｂに出力する。なお、オン操作されている選択スイッチ３２1〜３２nの数と、この選択数検出回路４２ａから出力される選択数制御信号の大きさとの関係としては、例えば上記第２実施形態におけるゲインコントロール回路３３に適用した関係を利用できる。
【００３９】
比例制御回路４２ｂには、入力端子２１1〜２１nにそれぞれ対応したボリューム操作子４３1〜４３nからの各レベル制御信号が供給される。このボリューム操作子４３1〜４３nは、ユーザによって操作され、入力端子２１1〜２１nにそれぞれ入力される各オーディオ信号のレベルをそれぞれ独立して設定するものである。そして、比例制御回路４２ｂは、ボリューム操作子４３1〜４３nからの各レベル制御信号に選択数検出回路４２ａからの選択数制御信号をそれぞれ乗じて、同各乗算結果を可変利得アンプ４１1〜４１nにそれぞれ供給する。
【００４０】
また、この第３実施形態においては、上記第２実施形態のミキシングアンプ２５ａに代えて、利得一定のミキシングアンプ２５ｂが用いられている。なお、他の部分に関しては、上記第２実施形態の構成と同じであるので、第２実施形態と同一の符号を付してその説明を省略する。
【００４１】
このように構成した第３実施形態のオーディオミキサー２０ｂにおいても、ユーザは複数の入力端子２１1〜２１nの全部または一部に複数のオーディオ信号源をそれぞれ接続するとともに、出力端子２８にパワーアンプ、スピーカなどを接続する。そして、この場合には、選択スイッチ３２1〜３２nおよびボリューム操作子４３1〜４３nのそれぞれ全部または一部を操作することにより、出力すべきオーディオ信号を選択するとともに、選択した複数のオーディオ信号間の音量バランスを設定する。また、トータルボリューム２７を操作して出力されるオーディオ信号のトータル音量レベルを設定する点は、上記第２実施形態の場合と同じである。
【００４２】
一方、この場合には、選択数検出回路４２ａが、オン操作されている選択スイッチ３２1〜３２nの数、すなわち出力すべきオーディオ信号の数が増加するに従って減少する選択数制御信号を比例制御回路４２ｂに出力する。そして、比例制御回路４２ｂが、ボリューム操作子４３1〜４３nから各レベル制御信号に前記選択制御信号を乗じた各制御信号に応じて、可変利得アンプ４１1〜４１nの各利得をそれぞれ制御する。したがって、出力すべきオーディオ信号の数が少なくても、多くても、ほぼ同じレベルのオーディオ信号がミキシングアンプ２５ｂに入力する。なお、これらの場合においても、ボリューム操作子４３1〜４３nによって設定された各オーディオ信号のレベル比は維持される。
【００４３】
これにより、出力すべきオーディオ信号の数が少なくても、出力端子２８に出力されるオーディオ信号のＳ／Ｎ比は高く保たれる。また、出力すべきオーディオ信号の数が多く、かつ曲の盛り上がりなどで入力端子４３1〜４３nに入力された各オーディオ信号のレベルが高くなっても、ミキシングアンプ２５ｂにてオーディオ信号がクリップされることはない。
【００４４】
したがって、この第３実施形態によっても、複数のオーディオ信号のレベル比がボリューム操作子４３1〜４３nによって設定された状態に保たれたまま、出力端子２８に出力されるオーディオ信号のＳ／Ｎ比が自動的に高く保たれるとともに、同オーディオ信号のクリップも自動的に回避される。その結果、ユーザによる操作を必要とすることなく、出力端子２８に出力されるオーディオ信号の音質が常に良好に保たれる。
【００４５】
また、この第３実施形態においても、可変利得アンプ４１1〜４１nの各利得が選択数検出回路４２ａからの選択数制御信号に応じて自動的に下げられた場合には、トータルボリューム２７を操作するだけで、可変利得アンプ４１1〜４１nの各利得が下げった分だけトータル音量レベルを上げることもできる。これによれば、可変利得アンプ４１1〜４１nの各利得の低下に起因して、出力端子２８から出力されるオーディオ信号のトータル音量レベルの低下を回避できる。
【００４６】
また、この第３実施形態においても、上記第２実施形態の場合と同様に、トータルボリューム２７を、可変利得アンプおよびボリューム操作子で置換できる。さらに、この第３実施形態においても、トータルボリューム２７の前段または後段に可変利得アンプを接続するとともに、この可変利得アンプの利得を可変利得アンプ４１1〜４１nの各利得制御と反対になるように選択数検出回路４２ａの出力によって制御して、可変利得アンプ４１1〜４１nの利得の増減を補償するようにしてもよい。すなわち、選択数検出回路４２ａは、オン操作されている選択スイッチ３２1〜３２nの数、すなわち出力すべきオーディオ信号の数が増加するに従って利得が増加するように、新たに設けた可変利得アンプの利得を制御する。これによれば、オーディオ信号のクリップを回避するために、可変利得アンプ４１1〜４１nの利得が減少させられても、出力端子２８にはこれらの可変利得アンプ４１1〜４１nの利得の減少を補償した音量レベルのオーディオ信号が得られる。
【００４７】
また、この第３実施形態においては、比例制御回路４２ｂは、ボリューム操作子４３1〜４３nによって設定された各オーディオ信号のレベル比を一定に保つように可変利得アンプ４１1〜４１nの各利得を制御するようにした。しかし、この比例制御回路４２ｂに代わるレベル制御回路を用いることもできる。このレベル制御回路は、ボリューム操作子４３1〜４３nによって設定された複数のオーディオ信号の各レベルの高低関係だけを保つことを条件に、選択数検出回路４２ａからの選択数制御信号に応じて、オン操作されている選択スイッチ３２1〜３２nの数（出力すべきオーディオ信号の数）が増加するに従って減少するように可変利得アンプ４１1〜４１nの利得を制御する。
【００４８】
さらに、このレベル制御回路は、出力すべきオーディオ信号の数が多くて全体の音量レベルを下げる必要があっても、ボリューム操作子４３1〜４３nによって予め低いレベルに設定されたオーディオ信号に関しては、複数のオーディオ信号の各レベルの高低関係を保つことを条件に、そのレベルを下げない。または、他のオーディオ信号のレベルの下げ幅に比べてその下げ幅を小さくする。なお、この場合のボリューム操作子４３1〜４３nは、複数のオーディオ信号の各レベルの高低関係をそれぞれ設定可能な高低関係を設定する手段として機能することになる。
【００４９】
これによっても、前記第３実施形態の場合と同様に、出力されるべきオーディオ信号の数が多くかつ曲の盛り上がり時においても、ミキシングアンプに入力される複数のオーディオ信号の音量レベルを適切にすることができ、発生音のＳ／Ｎ比を低下させることなく、ミキシングアンプのクリップを簡単に回避でき、発生音の音質を常に良好に保つことができる。また、この変形例のレベル制御手段は、複数のオーディオ信号の各レベル比の高低関係を設定された状態に保つので、全体の音量レベルを低くしても、各オーディオ信号の音量バランスをある程度保つことができる。そして、前記予め低いレベルに設定されたオーディオ信号の実際の音量レベルが極めて小さくなって聞こえ難くなることも避けることができる。
【００５０】
さらに、上記第１〜第３実施形態においては、複数の入力端子２１1〜２１nに直接オーディオ信号を入力するようにしたが、入力端子にてＭＩＤＩデータのような演奏データを入力し、同入力した演奏データに基づいて楽音信号を生成する音源回路を前記入力端子に接続しておき、この音源回路にて生成した楽音信号（オーディオ信号）を他のオーディオ信号とミキシングして出力するようにしてもよい。この場合、受信部は、入力端子と音源回路とを含む部分に相当する。
【図面の簡単な説明】
【図１】  本発明の第１実施形態に係るオーディオミキサーの概略ブロック図である。
【図２】  本発明の第２実施形態に係るオーディオミキサーの概略ブロック図である。
【図３】  本発明の第３実施形態に係るオーディオミキサーの概略ブロック図である。
【図４】  従来のオーディオミキサーの概略ブロック図である。
【符号の説明】
２１1〜２１n…入力端子、２２1〜２２n…可変ボリューム、２３1〜２３n，３２1〜３２n…選択スイッチ、２５，２５ａ，２５ｂ…ミキシングアンプ、２６，４３1〜４３n…ボリューム操作子、２７…トータルボリューム、２８…出力端子、３１1〜３１n…スイッチ回路、３３，４２…ゲインコントロール回路、４１1〜４１n…可変利得アンプ、４２ａ…選択数検出回路、４２ｂ…比例制御回路。
【図１】
0003951767.tif 000002
【図２】
0003951767.tif 000003
【図３】
0003951767.tif 000004
【図４】
0003951767.tif 000005